(57)【要約】【課題】  エプロン主体とタオル地からなり、体にワンタッチで取り付けできて使い勝手のよいエプロンを提供する。【解決手段】  ビニールからなる長めのエプロン主体の上縁部をヘアバンド形のホルダーに被着し、上縁部の直下に複数個のホック半体を等間隔に夫々取り付ける。上記ホック半体と係合するホック半体を取り付けたタオル地を、エプロン主体の前面に着脱自在に配置する。【選択図】図１
0003138982.tif 000002
【実用新案登録請求の範囲】
【請求項１】
ビニールからなる長めのエプロン主体の上縁部をヘアバンド形のホルダーに被着し、上縁部の直下に複数個のホック半体を等間隔に夫々取り付けるとともに、上記ホック半体と係合するホック半体を取り付けたタオル地を、エプロン主体の前面に着脱自在に配置することを特徴とするエプロン。
【考案の詳細な説明】
【技術分野】
【０００１】  本考案は使い勝手に優れ着脱も容易なエプロンに関する。
【背景技術】
【０００２】  ワンタッチで取り付けができ手ふきのタオルを別に用意しないでも使用できることを目的としたエプロン（例えば特許文献１参照）や、手持ちのハンカチ等を装着するだけで食事用の簡易エプロンとして機能させることのできるエプロンホルダー（例えば特許文献２参照）などは従来から知られている。
【特許文献１】登録実用新案第３０９７４８５号公報
【特許文献２】登録実用新案第３０９７３０７号公報
【考案の開示】
【考案が解決しようとする課題】
【０００３】  特許文献１に記載のものは、タオル地のエプロン本体に筒縫い部を形成し、筒縫い部にホルダー部材を貫通させ、ホルダー部材でエプロン本体を人の腰部に着脱可能に装着するものであり、こうすることでエプロンの着脱が迅速に行えてエプロン本体で手を拭くことができる、としている。ところでこの技術はホルダーにタオル地を取り付けたにすぎないため単なる炊事時の手拭き兼用としては便利であっても、タオル地は丈にもおのずから限界があるので煮汁や油などが飛散して衣服特にズボンやスカートなどに付着するのを防ぐことができない。またホルダーに取り付けるためにはタオルの端部を筒状にあらかじめ形成することを要するのと、タオル地を交換する都度筒縫い部にホルダーを貫通するという手間がかゝるとともに、タオル地はホルダーの一部に通すものであるから使用中に位置ずれするといった懸念もある。【０００４】  特許文献２に記載のものは、長さを自在に調節できる連結具を有し、連結具に丸かんでチェーンを接続し、チェーンの両端部に夫々接続具を丸かんで接続し、把持具を接続具に取り外し自在に設け、この把持具にタオルなどを取り付ける構成としている。この技術は連結具、丸かん、チェーン、接続具、把持具など多数の部品からなるものであり、部品点数が多い分それらの作製にかなりの時間と労力を要するため勢い製品が高価となる不利がある。またそれらの組み立てにも手間がかゝって取り扱いが面倒となるなどの問題と、チェーンが直接首回りなどの肌に触れるので人によっては不快感をもったり冬場などは寒気を感ずることもあり、更には肩や首回りに取り付けるにも手数がかゝるなどの諸不利を有している。【０００５】本考案はこのような従来のエプロンとは異なり、腰部にワンタッチで着脱できることは勿論、取り付けたままタオル地の交換ができ、また汚れが飛散してもズボンやスカートに直接付着しないため安心して調理等ができる簡便なエプロンを提供しようとするものである。
【課題を解決するための手段】
【０００６】  すなわち本考案は、ビニールからなる長めのエプロン主体の上縁部をヘアバンド形のホルダーに被着し、上縁部の直下に複数個のホック半体を等間隔に夫々取り付けるとともに、上記ホック半体と係合するホック半体を取り付けたタオル地を、エプロン主体の前面に着脱自在に配置することを特徴としている。
【考案の効果】
【０００７】  本考案のエプロン主体はビニール製のため油や煮汁等の汚れが付着しても拭き取ればそれらが容易に除去できてエプロン主体をホルダーから頻々に取り外して交換・洗濯するといった面倒がなく、当然ながらズボンやスカートはエプロン主体によってカバーされるので汚れが未然に防止される。【０００８】  エプロン主体の前面に設けたタオル地によって手拭きができ、濡れた手を直ちに払拭できるためタオルを探す手間が省け、またタオル地には、エプロン主体に取り付けたホック半体と係合するホック半体を取り付けており、半体同士を着脱することによってタオル地がエプロン主体と容易に交換でき、したがって従来のようにタオル地交換のつどホルダーをタオル地の筒縫い部に挿通するといった手間を要することがなく、またホック同士の係合によってタオル地の位置決めがなされるため横移動するような事態は避けられる。【０００９】  ホルダーを首回りに適合する大きさにするとともにエプロン主体を相応の長さに形成すると介護用エプロンとしても好適する。その場合ホルダーはエプロン主体にカバーされているため肌に直接することがないので感触不具合となることもなく、エプロン主体はビニール製のため水分が内側にしみ通ることがないため入浴介助や排せつ物処理時にも衣服を汚すことなく作業ができる。
【考案を実施するための最良の形態】
【００１０】  図面を参照して本考案を説明すると、図１〜２は本案エプロンを示すもので、エプロン主体１はビニール製で膝下まで十分に覆う長さを有し円曲した上縁部２を、帯状でヘアバンド形のホルダー１０に被着し、エプロン主体１の前面にタオル地２０を配置している。【００１１】  ホルダー１０は弾性付勢によりフリー状態である両側部１１同士が縮径されて重なり合っており、エプロン着装時には胴回りに沿って開くとともに胴の大きさに応じて抱着する。ホルダー１０の弾性は確固としたバネ性を有し、からだを動かしても胴から脱出することはなく、反面、両手で左右両側をつかみ拡開すれば弾性に抗して容易に取り外すことができる。つまりホルダー１０はワンタッチで取り付け・取り外しができる性質のものであるが、このことは従来からも知られた形態に他ならない。【００１２】  エプロン主体１の上縁部２の直下には凸形であるホック半体３が中央及び左右の両側に夫々等間隔に取り付けられている。このホック半体３と係合する凹形のホック半体３′が、タオル地２０の中央及び左右両端に夫々取り付けられている。したがってタオル地２０は、エプロン主体１のホック半体３にホック半体３′を係合することでエプロン主体１の前向に固定され、半体同士の係合を解くことでエプロン主体１から取り外しされる。なお上記とは逆にホック半体３を凹形とし、ホック半体３′を凸形に形成しても同じである。【００１３】  本案ではタオル地２０をエプロン主体１の前面に取り付けることとし、いわば二重構造のエプロンの体裁をとるので、その分通常のエプロンよりも利用範囲が拡大でき利便性が向上する。通常のエプロンでは膝下までの長さを有してはいても衣服に汚れが付着するのを防止するにすぎないが、前面にタオル地２０を配置したことで手拭きを容易とし、なおかつエプロン主体１の汚れの頻度を軽減できる。【００１４】  タオル地２０はホック半体３・３′の係合を解くことによってエプロン主体１から簡単に取り外しできるものであるから、タオル地２０の汚れが著しくなったり傷損したような場合は洗濯や交換に手間取ることがなく、取り外したあとはエプロン主体１だけの使用もできるため、タオル地２０を必要としない家事・園芸作業時などエプロン主体１だけで十分な場合に都合がよい。【００１５】  図３は本考案の他の例を示したもので、この例ではエプロン主体１の上縁部２を胴回りのものよりも小さい径に形成（ホルダーも小径となる）して首回りに適合させたもので、エプロン主体１はその分長めとなる。こうすることにより胸元から上もカバーでき、例えば介護現場での入浴介助のときに使用すれば、湯水の飛散から衣服が濡れるのを防止できる。なお図示はしないが、この例でもタオル地を着脱できることは勿論であり、また上縁部２に面ファスナーを取り付ければ首回りの位置決めが確固としたものになるが、それらの付加的事項も本技術の範疇に属する。【００１６】  なお本考案は上記の実施形態等でエプロン主体１の素材或いはエプロン主体１とタオル地２０の係合手段などにつき特定してあるが、本考案の目的効果を奏する範囲において他の素材又は係合手段を用いることは何ら本考案の技術的範囲から逸脱するものでないこと勿論である。
【図面の簡単な説明】
【００１７】
【図１】本考案の使用状態の概略を示し、（ａ）は正面図、（ｂ）は平面図である。
【図２】（ａ）はホルダーの平面図、（ｂ）はエプロン主体をホルダーに取り付けた斜視図である。
【図３】本考案の他の例を示す正面図である。
【符号の説明】
【００１８】  １    エプロン主体
２    上縁部
３    ホック半体
３′  ホック半体
１０  ホルダー
１１  両側部
２０  タオル地
【図１】
0003138982.tif 000003
【図２】
0003138982.tif 000004
【図３】
0003138982.tif 000005